(57)【要約】【課題】他人の行動の実績を参考にしつつ、今現在の自分の状況と希望する体験とに適した行き先を簡単に知る。【解決手段】履歴データベース５７は、「見たい」、「遊びたい」などの希望する体験、同伴者、およびユーザの位置や日付の月などの物理的な状況のそれぞれにおいて、それぞれの場所にユーザが訪れた実績の値を示す実績値を記憶する。適合度計算部７４は、記憶されている実績値、並びに場所の紹介を求めるユーザの希望する体験、同伴者、および現在の物理的な状況から、行き先としての場所の適合の度合いを示す適合度を計算する。Webサーバ機能５１は、紹介を求めるユーザのクライアントに、計算された適合度に応じて、行き先としての場所の情報を提供する。【選択図】図３
2011175603.tif 000002
【特許請求の範囲】
【請求項１】
ユーザの端末装置に行き先としての場所の紹介の情報を提供する情報提供装置において、
希望する体験、同伴者、および物理的な状況のそれぞれにおいて、それぞれの前記場所に他のユーザが訪れた実績の値を示す実績値を記憶する記憶手段と、
記憶されている前記実績値、並びに紹介を求めるユーザの希望する体験、同伴者、および現在の物理的な状況から、行き先としての前記場所の適合の度合いを示す適合度を計算する計算手段と、
紹介を求める前記ユーザの前記端末装置に、計算された前記適合度に応じて、行き先としての前記場所の情報を提供する提供手段と
を備える情報提供装置。
【請求項２】
請求項１に記載の情報提供装置において、
前記提供手段は、前記場所の情報と共に、希望する体験をさせるための行動の指令を前記ユーザの前記端末装置に提供する
情報提供装置。
【請求項３】
請求項１に記載の情報提供装置において、
前記記憶手段は、独立に変化する項目である、希望する体験、同伴者、および物理的な状況のそれぞれにおいて、前記項目の取り得る値である項目値の全体についての実績の値に対する、個々の前記項目値についての実績の値の比である前記実績値を記憶する
情報提供装置。
【請求項４】
請求項３に記載の情報提供装置において、
前記計算手段は、紹介を求めるユーザの希望する体験、同伴者、および現在の物理的な状況のそれぞれに対する、記憶されている前記実績値を乗算することにより、前記適合度を計算する
情報提供装置。
【請求項５】
請求項１に記載の情報提供装置において、
前記物理的な状況は、ユーザのいる位置を示す緯度および経度、日付の月、１日における時間帯、またはユーザのいる場所の天気である
情報提供装置。
【請求項６】
請求項１に記載の情報提供装置において、
前記提供手段は、前記適合度で示される前記場所の適合の度合いが高い順に、行き先としての前記場所の情報を提供する
情報提供装置。
【請求項７】
ユーザの端末装置に行き先としての場所の紹介の情報を提供する情報提供方法において、
希望する体験、同伴者、および物理的な状況のそれぞれにおいて、それぞれの前記場所に他のユーザが訪れた実績の値を示す実績値を記憶し、
記憶されている前記実績値、並びに紹介を求めるユーザの希望する体験、同伴者、および現在の物理的な状況から、行き先としての前記場所の適合の度合いを示す適合度を計算し、
紹介を求める前記ユーザの前記端末装置に、計算された前記適合度に応じて、行き先としての前記場所の情報を提供する
ステップを含む情報提供方法。
【請求項８】
ユーザの端末装置に行き先としての場所の紹介の情報を提供するコンピュータに、
希望する体験、同伴者、および物理的な状況のそれぞれにおいて、それぞれの前記場所に他のユーザが訪れた実績の値を示す実績値を記憶し、
記憶されている前記実績値、並びに紹介を求めるユーザの希望する体験、同伴者、および現在の物理的な状況から、行き先としての前記場所の適合の度合いを示す適合度を計算し、
紹介を求める前記ユーザの前記端末装置に、計算された前記適合度に応じて、行き先としての前記場所の情報を提供する
ステップを含む処理を実行させるプログラム。
【請求項９】
行き先としての場所の紹介を求めるユーザの端末装置と、通信回線を介して前記端末装置に前記場所の情報を提供する情報提供装置とからなる情報提供システムにおいて、
前記情報提供装置が、
希望する体験、同伴者、および物理的な状況のそれぞれにおいて、それぞれの前記場所に他のユーザが訪れた実績の値を示す実績値を記憶する記憶手段を備え、
前記端末装置が、
前記ユーザの希望する体験および同伴者を示す情報を前記通信回線を介して前記情報提供装置に送信する送信手段を備え、
前記情報提供装置が、さらに、
記憶されている前記実績値、並びに紹介を求めるユーザの希望する体験、同伴者、および現在の物理的な状況から、行き先としての前記場所の適合の度合いを示す適合度を計算する計算手段と、
前記通信回線を介して前記ユーザの前記端末装置に、計算された前記適合度に応じて、行き先としての前記場所の情報を提供する提供手段と
を備える情報提供システム。
【発明の詳細な説明】
【技術分野】
【０００１】
本発明は情報提供装置および方法、プログラム、並びに情報提供システムに関し、特に、行き先としての場所の情報を提供できるようにした情報提供装置および方法、プログラム、並びに情報提供システムに関する。
【背景技術】
【０００２】
インターネットを介して旅行に関する各種の情報が提供されている。
【０００３】
従来、イベントの開催時間帯を表す開催時間情報を含むイベント情報を記録し、旅行プランに含めるイベントを選択し、選択されたイベントを実行するための実行時間帯を設定し、設定された実行時間帯を表す実行時間情報と、当該実行時間帯が設定されたイベントの開催時間情報とに基づいて、実行時間帯が設定可能であるか否かを判定するようにしているものもある（例えば、特許文献１参照）。
【０００４】
また、イベントが実行される位置情報を記録し、旅行プランに含めるイベントを選択し、選択されたイベントそれぞれの位置情報に基づいて、イベント間の移動に要すると予測される移動時間長を算出し、選択されたイベントを実行するための実行時間帯を設定し、算出された移動時間長を表す予測移動時間情報と、設定された実行時間帯を表す実行時間情報とに基づいて、実行時間帯が設定可能であるか否かを判定するものもある（例えば、特許文献２参照）。
【０００５】
さらに、情報検索装置として、検索条件入力部によって感性表現データを入力し、特徴量変換プロセス部により入力された感性表現を属性系列によって特徴量に変換し、感性データベースには情報アドレスが感性表現データから変換して得られた特徴量と関連付けられて格納され、ＵＲＬ検索プロセス部により、検索条件として入力された感性表現の特徴量と感性データベースに格納されている情報アドレスに関連付けられて格納されている特徴量を比較し、適した情報アドレスをＵＲＬ出力部に検索結果として出力するものもある（例えば、特許文献３参照）。
【０００６】
さらにまた、嗜好検知装置が滞在状態検知装置から滞在状態に入ったことを示す通知を受取ると、位置認識装置から現在位置を受取り、対応表の店位置部の値を検索し、嗜好検知装置は、現在位置に一致する店があれば、タイマをセットして待ち状態に入り、移動状態検知装置から移動開始した通知を受取ると、タイマの値と対応表の最低滞在時間部の値とを比較し、タイマの値が店の最低滞在時間よりも大きければ、対応表の滞在回数部の値を１つ増加させて処理を終了するようにしているものもある（例えば、特許文献４参照）。
【先行技術文献】
【特許文献】
【０００７】
【特許文献１】特開２００９−２１１５３８号公報
【特許文献２】特開２００９−２１１５３９号公報
【特許文献３】特開平１０−４０２６２号公報
【特許文献４】特開２００１−１０９８１０号公報
【発明の概要】
【発明が解決しようとする課題】
【０００８】
しかしながら、観光で見知らぬ場所にいる旅行者が、今現在の自分に適した行き先を簡単かつ適切に知ることはできなかった。旅行先において、ユーザのいる場所、何月であるか、時間帯、または天気や、同行している相手（以下、同伴者と称する）などにより、訪れるのに適している場所は異なる。また、実際にどのようなシチュエーションでどのくらいの人数の他人がその場所を訪れたのかを参照することはできなかった。
【０００９】
さらに、どのくらいの人数の他人が、実際にどのような体験を希望して、その場所を訪れたのかを参照することはできなかった。
【００１０】
本発明は、このような状況に鑑みてなされたものであり、他人の行動の実績を参考にしつつ、今現在の自分の状況と希望する体験とに適した行き先を簡単に知ることができるようにするものである。
【課題を解決するための手段】
【００１１】
本発明の第１の側面の情報提供装置は、ユーザの端末装置に行き先としての場所の紹介の情報を提供する情報提供装置であって、希望する体験、同伴者、および物理的な状況のそれぞれにおいて、それぞれの前記場所に他のユーザが訪れた実績の値を示す実績値を記憶する記憶手段と、記憶されている前記実績値、並びに紹介を求めるユーザの希望する体験、同伴者、および現在の物理的な状況から、行き先としての前記場所の適合の度合いを示す適合度を計算する計算手段と、紹介を求める前記ユーザの前記端末装置に、計算された前記適合度に応じて、行き先としての前記場所の情報を提供する提供手段とを備える。
【００１２】
前記提供手段には、前記場所の情報と共に、希望する体験をさせるための行動の指令を前記ユーザの前記端末装置に提供させることができる。
【００１３】
前記記憶手段には、独立に変化する項目である、希望する体験、同伴者、および物理的な状況のそれぞれにおいて、前記項目の取り得る値である項目値の全体についての実績の値に対する、個々の前記項目値についての実績の値の比である前記実績値を記憶させることができる。
【００１４】
前記計算手段には、紹介を求めるユーザの希望する体験、同伴者、および現在の物理的な状況のそれぞれに対する、記憶されている前記実績値を乗算することにより、前記適合度を計算させることができる。
【００１５】
前記物理的な状況を、ユーザのいる位置を示す緯度および経度、日付の月、１日における時間帯、またはユーザのいる場所の天気とすることができる。
【００１６】
前記提供手段には、前記適合度で示される前記場所の適合の度合いが高い順に、行き先としての前記場所の情報を提供させることができる。
【００１７】
本発明の第１の側面の情報提供方法は、ユーザの端末装置に行き先としての場所の紹介の情報を提供する情報提供方法であって、希望する体験、同伴者、および物理的な状況のそれぞれにおいて、それぞれの前記場所に他のユーザが訪れた実績の値を示す実績値を記憶し、記憶されている前記実績値、並びに紹介を求めるユーザの希望する体験、同伴者、および現在の物理的な状況から、行き先としての前記場所の適合の度合いを示す適合度を計算し、紹介を求める前記ユーザの前記端末装置に、計算された前記適合度に応じて、行き先としての前記場所の情報を提供するステップを含む。
【００１８】
本発明の第１の側面のプログラムは、ユーザの端末装置に行き先としての場所の紹介の情報を提供するコンピュータに、希望する体験、同伴者、および物理的な状況のそれぞれにおいて、それぞれの前記場所に他のユーザが訪れた実績の値を示す実績値を記憶し、記憶されている前記実績値、並びに紹介を求めるユーザの希望する体験、同伴者、および現在の物理的な状況から、行き先としての前記場所の適合の度合いを示す適合度を計算し、紹介を求める前記ユーザの前記端末装置に、計算された前記適合度に応じて、行き先としての前記場所の情報を提供するステップを含む処理を実行させる。
【００１９】
本発明の第１の側面においては、希望する体験、同伴者、および物理的な状況のそれぞれにおいて、それぞれの場所に他のユーザが訪れた実績の値を示す実績値が記憶され、記憶されている実績値、並びに紹介を求めるユーザの希望する体験、同伴者、および現在の物理的な状況から、行き先としての場所の適合の度合いを示す適合度が計算され、紹介を求めるユーザの端末装置に、計算された適合度に応じて、行き先としての場所の情報が提供される。
【００２０】
本発明の第２の側面の情報提供システムは、行き先としての場所の紹介を求めるユーザの端末装置と、通信回線を介して前記端末装置に前記場所の情報を提供する情報提供装置とからなる情報提供システムであって、前記情報提供装置が、希望する体験、同伴者、および物理的な状況のそれぞれにおいて、それぞれの前記場所に他のユーザが訪れた実績の値を示す実績値を記憶する記憶手段を備え、前記端末装置が、前記ユーザの希望する体験および同伴者を示す情報を前記通信回線を介して前記情報提供装置に送信する送信手段を備え、前記情報提供装置が、さらに、記憶されている前記実績値、並びに紹介を求めるユーザの希望する体験、同伴者、および現在の物理的な状況から、行き先としての前記場所の適合の度合いを示す適合度を計算する計算手段と、前記通信回線を介して前記ユーザの前記端末装置に、計算された前記適合度に応じて、行き先としての前記場所の情報を提供する提供手段とを備える。
【００２１】
本発明の第２の側面においては、情報提供装置に、希望する体験、同伴者、および物理的な状況のそれぞれにおいて、それぞれの場所に他のユーザが訪れた実績の値を示す実績値が記憶され、端末装置から、ユーザの希望する体験および同伴者を示す情報が通信回線を介して情報提供装置に送信され、情報提供装置において、記憶されている実績値、並びに紹介を求めるユーザの希望する体験、同伴者、および現在の物理的な状況から、行き先としての場所の適合の度合いを示す適合度が計算され、情報提供装置から、通信回線を介してユーザの端末装置に、計算された適合度に応じて、行き先としての場所の情報が提供される。
【発明の効果】
【００２２】
以上のように、本発明の第１の側面によれば、端末装置のユーザが、他人の行動の実績を参考にしつつ、今現在の自分の状況と希望する体験とに適した行き先を簡単に知ることができる。
【００２３】
また、本発明の第２の側面によれば、端末装置のユーザが、他人の行動の実績を参考にしつつ、今現在の自分の状況と希望する体験とに適した行き先を簡単に知ることができる。
【図面の簡単な説明】
【００２４】
【図１】本発明の一実施の形態の情報提供システムの構成を示す図である。
【図２】サーバ１１のハードウェアの構成例を示すブロック図である。
【図３】プログラムを実行するサーバ１１において実現される機能の構成の例を示すブロック図である。
【図４】スポット実績データについて説明する図である。
【図５】スポット実績データについて説明する図である。
【図６】スポット実績データについて説明する図である。
【図７】スポット実績データについて説明する図である。
【図８】行き先としての場所の紹介の処理を説明するフローチャートである。
【図９】行き先としての場所の紹介の処理を説明するフローチャートである。
【図１０】行き先としての場所の紹介の処理を説明するフローチャートである。
【図１１】ユーザの希望を取得するためのウェブページの例を示す図である。
【図１２】適合度の計算の処理の詳細を説明するフローチャートである。
【図１３】スポットでの行動を指令するウェブページの例を示す図である。
【図１４】他のユーザの行動を示すウェブページの例を示す図である。
【図１５】ユーザの行動の履歴を取得するためのウェブページの例を示す図である。
【発明を実施するための形態】
【００２５】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の第１の側面の情報提供装置は、ユーザの端末装置（例えば、図１のクライアント１３−１）に行き先としての場所（例えば、浜辺や岬などの所定の観光名所、所定の美術館、店舗、各種のサービスが提供される施設など）の紹介の情報を提供する情報提供装置（例えば、図１のサーバ１１）であって、希望する体験（例えば、「見たい」、「遊びたい」、または「買いたい」など）、同伴者、および物理的な状況（例えば、ユーザのいる位置、日付の月、１日における時間帯、またはユーザのいる場所の天気など）のそれぞれにおいて、それぞれの前記場所に他のユーザが訪れた実績の値を示す実績値を記憶する記憶手段（例えば、図３の履歴データベース５７）と、記憶されている前記実績値、並びに紹介を求めるユーザの希望する体験、同伴者、および現在の物理的な状況から、行き先としての前記場所の適合の度合いを示す適合度を計算する計算手段（例えば、図３の適合度計算部７４）と、紹介を求める前記ユーザの前記端末装置に、計算された前記適合度に応じて、行き先としての前記場所の情報を提供する提供手段（例えば、図３のWebサーバ機能５１）とを備える。
【００２７】
本発明の第１の側面の情報提供方法およびプログラムを実行するコンピュータが行う処理は、希望する体験（例えば、「見たい」、「遊びたい」、または「買いたい」など）、同伴者、および物理的な状況（例えば、ユーザのいる位置、日付の月、１日における時間帯、またはユーザのいる場所の天気など）のそれぞれにおいて、それぞれの場所（例えば、浜辺や岬などの所定の観光名所、所定の美術館、店舗、各種のサービスが提供される施設など）に他のユーザが訪れた実績の値を示す実績値を記憶し（例えば、図１０のステップＳ２１８の手続き）、記憶されている前記実績値、並びに紹介を求めるユーザの希望する体験、同伴者、および現在の物理的な状況から、行き先としての前記場所の適合の度合いを示す適合度を計算し（例えば、図８のステップＳ２０６の手続き）、紹介を求める前記ユーザの前記端末装置に、計算された前記適合度に応じて、行き先としての前記場所の情報を提供する（例えば、図９のステップＳ２０７の手続き）ステップを含む。
【００２８】
本発明の第２の側面の情報提供システムは、行き先としての場所の紹介を求めるユーザの端末装置（例えば、図１のクライアント１３−１）と、通信回線を介して前記端末装置に前記場所の情報を提供する情報提供装置（例えば、図１のサーバ１１）とからなる情報提供システムであって、前記情報提供装置が、希望する体験（例えば、「見たい」、「遊びたい」、または「買いたい」など）、同伴者、および物理的な状況（例えば、ユーザのいる位置、日付の月、１日における時間帯、またはユーザのいる場所の天気など）のそれぞれにおいて、それぞれの前記場所に他のユーザが訪れた実績の値を示す実績値を記憶する記憶手段（例えば、図３の履歴データベース５７）を備え、前記端末装置が、前記ユーザの希望する体験および同伴者を示す情報を前記通信回線を介して前記情報提供装置に送信する送信手段（例えば、クライアント１３の送信部）を備え、前記情報提供装置が、さらに、記憶されている前記実績値、並びに紹介を求めるユーザの希望する体験、同伴者、および現在の物理的な状況から、行き先としての前記場所の適合の度合いを示す適合度を計算する計算手段（例えば、図３の適合度計算部７４）と、前記通信回線を介して前記ユーザの前記端末装置に、計算された前記適合度に応じて、行き先としての前記場所の情報を提供する提供手段（例えば、図３のWebサーバ機能５１）とを備える。
【００２９】
図１は、本発明の一実施の形態の情報提供システムの構成を示す図である。情報提供システムは、サーバ１１、通信回線１２、およびクライアント１３−１乃至１３−３からなり、旅行の行き先としての場所（以下、スポットとも称する）を紹介するサービスを提供する。サーバ１１は、情報提供装置の一例であり、専用サーバ、パーソナルコンピュータ、または仮想サーバなどからなる。サーバ１１は、専用サーバ、パーソナルコンピュータ、または仮想サーバなどの組み合わせからなるシステムであっても良い。
【００３０】
サーバ１１は、通信回線１２を介して、クライアント１３−１乃至１３−３のそれぞれに、旅行に関する各種の情報を提供する。より具体的には、サーバ１１は、通信回線１２を介して、クライアント１３−１乃至１３−３のそれぞれに、旅行の行き先としての場所を紹介するウェブページのデータを提供することで、クライアント１３−１乃至１３−３のユーザに旅行の行き先としての場所を紹介する。
【００３１】
この場合、旅行の行き先としての場所とは、例えば、いわゆる観光スポットなどであり、具体的には、浜辺や岬などの所定の観光名所であったり、所定の美術館、店舗、各種のサービスが提供される施設などであったりする。
【００３２】
通信回線１２は、インターネットや、有線または無線の汎用回線または専用回線や、有線または無線の複数のネットワーク、例えば、LAN（Local Area Network）またはWAN（Wide Area Network）などからなる。
【００３３】
クライアント１３−１乃至１３−３は、それぞれ、端末装置の一例であり、具体的には、携帯電話機や携帯型のパーソナルコンピュータ、通信機能を備えた携帯型の情報処理装置などである。クライアント１３−１乃至１３−３は、それぞれ、ユーザの操作に応じて、通信回線１２を介してサーバ１１からウェブページのデータを取得して、ウェブページをそれぞれのユーザに提示する。
【００３４】
また、クライアント１３−１乃至１３−３は、それぞれ、ユーザの操作に応じて、通信回線１２を介してサーバ１１に、行き先としての場所で希望する体験、同伴者、および現在位置からどちらの方向に行きたいかなどの情報を送信する。ここで、行き先としての場所で希望する体験とは、いわゆる、「どうしたい」を示し、例えば、「見たい」、「遊びたい」、「買いたい」、「食べたい」、「飲みたい」、「リラックスしたい（休憩したい）」、「学びたい」、「叫びたい」、「スポーツしたい」などである。また、同伴者とは、例えば、友人、家族、配偶者（夫または妻）、恋人、同僚、お客様などであり、行き先としての場所に共に訪れる人である。現在位置からどちらの方向に行きたいかとは、現在ユーザがいる位置に対して、北、南、東、または西の方向などの行きたい方向をいう。
【００３５】
どちらの方向に行きたいかを参照するようにしたのは、例えば、現在、名古屋にいて、この後、大阪に向かう場合には、名古屋から大阪に移動する経路上かこれに近い位置の場所には立ち寄ることができるが、例えば、静岡など、向かう先とは逆の方向の場所の情報が提供されたとしても、実質的にそこに立ち寄ることができないので、これを除くようにするためである。
【００３６】
クライアント１３−１乃至１３−３のいずれかから、通信回線１２を介して、行き先としての場所で希望する体験、同伴者、および現在位置からどちらの方向に行きたいかなどの情報が送信されてくると、サーバ１１は、それぞれの場所に他のユーザが訪れた実績の値を示す実績値、並びに紹介を求めるユーザの希望する体験、同伴者、および現在の物理的な状況から、行き先としての場所の適合の度合いを示す適合度を計算し、情報を送信してきたクライアント１３−１乃至１３−３のいずれかに、計算された適合度に応じて、行き先としての場所の情報を提供する。
【００３７】
ここで、それぞれの場所に他のユーザが訪れた実績の値を示す実績値は、サーバ１１に予め記憶され、希望する体験、同伴者、および物理的な状況のそれぞれにおいて、それぞれの場所に他のユーザが訪れた実績の値を示す。なお、詳細は後述するが、本実施の形態においては、それぞれの場所に他のユーザが訪れた実績の値を示す実績値は、スポット実績データとして記憶されている。
【００３８】
また、物理的な状況とは、ユーザに関する空間または時間などの状況をいい、例えば、ユーザのいる位置を示す緯度および経度、日付の月、１日における時間帯、またはユーザのいる場所の天気などである。
【００３９】
以下、クライアント１３−１乃至１３−３を個々に区別する必要がない場合、単に、クライアント１３と称する。
【００４０】
図２は、サーバ１１のハードウェアの構成例を示すブロック図である。
【００４１】
サーバ１１において、CPU（Central Processing Unit）３１，ROM（Read Only Memory）３２，RAM（Random Access Memory）３３は、バス３４により相互に接続されている。
【００４２】
バス３４には、さらに、入出力インタフェース３５が接続されている。入出力インタフェース３５には、キーボード、マウス、マイクロホンなどよりなる入力部３６、ディスプレイ、スピーカなどよりなる出力部３７、ハードディスクや不揮発性のメモリなどよりなる記憶部３８、有線、無線の通信装置やネットワークインタフェースなどよりなる通信部３９、磁気ディスク、光ディスク、光磁気ディスク、或いは半導体メモリなどのリムーバブルメディア４１を駆動するドライブ４０が接続されている。
【００４３】
以上のように構成されるサーバ１１（コンピュータ）では、CPU３１が、例えば、記憶部３８に記憶されているプログラムを、入出力インタフェース３５及びバス３４を介して、RAM３３にロードして実行することにより、後述する一連の処理が行われる。
【００４４】
サーバ１１（CPU３１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア４１に記録して、あるいは、ローカルエリアネットワーク、通信回線１２、デジタル衛星放送といった、有線または無線の伝送媒体を介して提供される。
【００４５】
そして、プログラムは、リムーバブルメディア４１をドライブ４０に装着することにより、入出力インタフェース３５を介して、記憶部３８に記憶することで、コンピュータにインストールすることができる。また、プログラムは、有線または無線の伝送媒体を介して、通信部３９で受信し、記憶部３８に記憶することで、コンピュータにインストールすることができる。その他、プログラムは、ROM３２や記憶部３８にあらかじめ記憶しておくことで、コンピュータにあらかじめインストールしておくことができる。
【００４６】
なお、クライアント１３は、通信回線１２を介して、サーバ１１の通信部３９に各種の信号やデータを送信する送信部およびサーバ１１の通信部３９から送信されてきた信号やデータを受信する受信部を備える。後述する処理において、クライアント１３が各種の信号やデータを送信または受信する場合には、この送信部または受信部によって、送信または受信される。
【００４７】
図３は、プログラムを実行するサーバ１１において実現される機能の構成の例を示すブロック図である。すなわち、サーバ１１がプログラムを実行すると、Webサーバ機能５１、ページデータ生成部５２、認証部５３、スポット提案部５４、ユーザデータベース５５、スポットデータベース５６、および履歴データベース５７が実現される。
【００４８】
Webサーバ機能５１は、例えば、Apache HTTP Serverなどの、いわゆるWebサーバプログラムを実行することにより実現され、HTTP（Hypertext Transfer Protocol）に規定される手順に基づいて、テキストまたは画像などの各種のオブジェクトが含まれるHTML（Hypertext Markup Language）方式、compact HTML方式、HDML(Handheld Device Markup Language)、またはXML（Extensible Markup Language）方式などのウェブページのデータを提供する。
【００４９】
Webサーバ機能５１は、送信制御部７１および受信制御部７２を含む。送信制御部７１は、通信部３９を制御することで、通信回線１２を介した、ウェブページのデータのユーザ端末装置１３宛の送信を制御する。受信制御部７２は、通信部３９を制御することで、通信回線１２を介してユーザ端末装置１３から送信されてくる各種のデータの受信を制御する。
【００５０】
ページデータ生成部５２は、Webサーバ機能５１によって提供される、ウェブページのデータを生成する。認証部５３は、UID（加入者識別子）やサブスクライバIDなどのクライアント１３を特定するクライアントIDおよびパスワードを照合して、ユーザが正当であるか否かを認証する。なお、ユーザの認証には、ユーザを特定するユーザIDを用いるようにしてもよい。
【００５１】
スポット提案部５４は、履歴データベース５７に記憶されている実績値の一例であるスポット実績データであって、それぞれの場所にユーザが訪れた実績の値を示すスポット実績データ、並びに紹介を求めるユーザの希望する体験、同伴者、および現在の物理的な状況から、行き先としての場所の適合の度合いを示す適合度を計算して、ページデータ生成部５２およびWebサーバ機能５１を介して、クライアント１３のユーザに行き先としての場所を提案する。
【００５２】
ユーザデータベース５５は、旅行の行き先としての場所を紹介するサービスを利用する、それぞれのユーザに関するデータを格納する。すなわち、ユーザデータベース５５は、それぞれのユーザを特定するユーザIDに対応させて、それぞれのユーザについて、氏名、住所、電話番号、電子メールアドレス、年齢、性別、クライアントID、およびログインするためのパスワードなどを記憶する。
【００５３】
スポットデータベース５６は、いわゆる観光スポットである、浜辺や岬などの所定の観光名所であったり、所定の美術館、店舗、各種のサービスが提供される施設などの場所（スポット）に関する情報を格納する。より詳しく説明すれば、スポットデータベース５６は、場所を特定する場所IDに対応づけて、場所の名前である場所名、場所の位置を示す緯度経度、入場可能な時間、入場料、場所のカテゴリ、「見る」または「遊ぶ」など体験できる内容、その内容に対応する「感動する」、「感心する」、「和む」、または「楽しむ」など体験により得られる効果などの情報を格納する。
【００５４】
履歴データベース５７は、希望する体験、同伴者、および物理的な状況のそれぞれにおいて、それぞれの場所にユーザが訪れた実績の値を示す実績値の一例であるスポット実績データを記憶する。また、履歴データベース５７は、ユーザが訪れた場所の履歴を示す行動履歴データを格納する。
【００５５】
図４乃至図７を参照して、スポット実績データについて説明する。例えば、美術館である行き先と、海である行き先とについて考えてみると、美術館に行くことを選択するか否かには、晴れているか、雨が降っているかは、あまり影響が無い。一方、海に行くことを選択するか否かには、晴れているか、雨が降っているかの天気の影響は大きい。
【００５６】
図４は、晴れ、曇り、雨、または雪である項目値（以下、属性値とも称する）を取り得る天気である項目（以下、属性とも称する）に対して、各項目値である場合に、その行き先に行ったか否かの履歴の例を示す。例えば、図４の上側の履歴の例において、晴れである場合に、３５％のユーザが、行き先であるスポットＡＡＡに行くことを選択し、曇りである場合に、３０％のユーザが、行き先であるスポットＡＡＡに行くことを選択し、雨が降っている場合に、２５％のユーザが、行き先であるスポットＡＡＡに行くことを選択し、雪が降っている場合に、３０％のユーザが、行き先であるスポットＡＡＡに行くことを選択したことが示されている。天気と関わりなく、ユーザがスポットＡＡＡに行くことを選択していることがわかる。
【００５７】
例えば、図４の下側の履歴の例において、晴れである場合に、３５％のユーザが、行き先であるスポットＢＢＢに行くことを選択し、曇りである場合に、３０％のユーザが、行き先であるスポットＢＢＢに行くことを選択し、雨が降っている場合に、５％のユーザが、行き先であるスポットＢＢＢに行くことを選択し、雪が降っている場合に、５％のユーザが、行き先であるスポットＢＢＢに行くことを選択したことが示されている。晴れまたは曇りの場合、ユーザがスポットＢＢＢに行くことを選択しているが、雨または雪の場合、ユーザがスポットＢＢＢに行くことを選択しないことがわかる。
【００５８】
このように、天気である項目に対する、取り得る項目値である晴れ、曇り、雨、または雪において、ユーザがスポットＡＡＡまたはスポットＢＢＢに行くことを選択した率についての、項目値間の比によって、そのスポットに行くことへの選択に、天気が関わっているか否かを知ることができる。
【００５９】
この場合、誰と行くかやどうしたいかなどの他の項目は、天気である項目とは独立であり、天気によってスポットに行くことを選択する率は、天気のみによって決まるといえる。
【００６０】
さらに、ここで、晴れ、曇り、雨、または雪である項目値のそれぞれにおいて、行き先であるスポットに行くことを選択したユーザの割合を求める際の分母は異なる。すなわち、スポットの地域にもよるが、雪に比較して晴れが多い地域では、晴れでそのスポットに行くことを選択したユーザの割合と、雪でそのスポットに行くことを選択したユーザの割合とが同じであったとしても、晴れでそのスポットに行くことを選択したユーザの数が多いことになる。
【００６１】
そこで、この点を考慮して、選択した率から、行き先としてのスポットの適合の度合いを考えてみる。まず、図５に示されるように、晴れ、曇り、雨、または雪である項目値のそれぞれに対する、スポットＢＢＢに行くことを選択した率から、平均値を求める。この平均値は、天気に関わらずスポットＢＢＢに行くことを選択した率である。すなわち、図５に示されるよう、晴れである場合に、３５％のユーザが、行き先であるスポットＢＢＢに行くことを選択し、曇りである場合に、３０％のユーザが、行き先であるスポットＢＢＢに行くことを選択し、雨が降っている場合に、５％のユーザが、行き先であるスポットＢＢＢに行くことを選択し、雪が降っている場合に、５％のユーザが、行き先であるスポットＢＢＢに行くことを選択したので、平均値である１８．７５％（＝（３５＋３０＋５＋５）／４）のユーザが天気に関わらずスポットＢＢＢに行くことを選択したことがわかる。
【００６２】
そして、晴れ、曇り、雨、または雪である項目値のそれぞれに対する、スポットＢＢＢに行くことを選択した率を、平均値で割り算することにより、項目値のそれぞれにおける選択割合値が算出される。この場合、晴れ、曇り、雨、または雪である項目値において行くことを選択した率は、それぞれ、３５％、３０％、５％、５％なので、晴れ、曇り、雨、または雪のそれぞれにおける選択割合値は、１．８７（＝３５／１８．７５）、１．６０（＝３０／１８．７５）、０．２６７（＝５／１８．７５）、０．２６７（＝５／１８．７５）となる。
【００６３】
選択割合値は、項目の項目値に関わらずスポットに行くことを選択した率に対する、それぞれの項目値でスポットに行くことを選択した率の割合を示し、正規化されているので、母数の変動の影響が除去されて、適切にその項目値においてスポットに行くことの適合の度合いを示している。言い換えれば、選択割合値は、独立に変化する項目である、希望する体験、同伴者、および物理的な状況のそれぞれにおいて、項目の取り得る値である項目値の全体についての実績の値に対する、個々の項目値についての実績の値の比である。
【００６４】
なお、多様な体験ができる複合的なスポットについては、図６に示されるように、ユーザが「どうしたい」か（行動内容）に応じて選択した率がスポット実績データに格納される。例えば、総合レジャー施設であるスポットＣＣＣについて、「見たい」場合に、１５％のユーザが、行き先であるスポットＣＣＣに行くことを選択し、「遊びたい」場合に、２０％のユーザが、行き先であるスポットＣＣＣに行くことを選択し、「休みたい」場合に、３０％のユーザが、行き先であるスポットＣＣＣに行くことを選択し、「食べたい」場合に、４０％のユーザが、行き先であるスポットＣＣＣに行くことを選択し、「刺激をうけたい」場合に、５０％のユーザが、行き先であるスポットＣＣＣに行くことを選択したことを示す情報がスポット実績データに格納される。
【００６５】
図７は、スポットＥＥＥについてのスポット実績データの例を示す図である。図７のスポット実績データにおいて、ｆｆｆのスポットIDで特定されるスポットＥＥＥについて、天気である項目の項目値である、晴れ、曇り、雨、または雪のそれぞれにおいて、スポットＥＥＥに行くことを選択した率は、それぞれ、３５％、３０％、５％、５％であり、その平均値が１８．７５％であり、晴れ、曇り、雨、または雪である項目値に対する選択割合値は、それぞれ、１．８７６，１．６００、０．２６７、０．２６７であることが示されている。また、図７のスポット実績データにおいて、スポットＥＥＥについて、同伴者（「誰と」）である項目の項目値である、友人、夫若しくは妻、恋人、または家族のそれぞれにおいて、スポットＥＥＥに行くことを選択した率は、それぞれ、２０％、５％、３０％、２０％であり、その平均値が１８．７５％であり、友人、夫若しくは妻、恋人、または家族である項目値に対する選択割合値は、それぞれ、１．０６７，０．２６７、１．６００、１．０６７であることが示されている。
【００６６】
さらに、図７のスポット実績データにおいて、スポットＥＥＥについて、日付の月である項目の項目値である、３月から５月まで、６月から８月まで、９月から１１月まで、または１２月から２月までのそれぞれにおいて、スポットＥＥＥに行くことを選択した率は、それぞれ、２０％、３０％、２０％、５％であり、その平均値が１８．７５％であり、３月から５月まで、６月から８月まで、９月から１１月まで、または１２月から２月までである項目値に対する選択割合値は、それぞれ、１．０６７，１．６００、１．０６７、０．２６７であることが示されている。さらにまた、図７のスポット実績データにおいて、スポットＥＥＥについて、時間帯である項目の項目値である、午前、日中、夕方、または夜のそれぞれにおいて、スポットＥＥＥに行くことを選択した率は、それぞれ、３０％、２０％、１５％、１０％であり、その平均値が１８．７５％であり、午前、日中、夕方、または夜である項目値に対する選択割合値は、それぞれ、１．６００，１．０６７、０．８００、０．５３３であることが示されている。
【００６７】
また、図７のスポット実績データにおいて、スポットＥＥＥについて、行動内容である項目の項目値である、「見たい」、「遊びたい」、「休みたい」、または「食べたい」のそれぞれにおいて、スポットＥＥＥに行くことを選択した率は、それぞれ、１５％、１５％、２５％、２０％であり、その平均値が１８．７５％であり、「見たい」、「遊びたい」、「休みたい」、または「食べたい」である項目値に対する選択割合値は、それぞれ、０．８００，０．８００、１．３３３、１．０６７であることが示されている。
【００６８】
次に、図３に戻り、スポット提案部５４の構成をより詳しく説明すると、スポット提案部５４は、情報取得部７３、適合度計算部７４、指令情報生成部７５、返答データ取得部７６、履歴データ取得部７７、選択割合値計算部７８、および記憶制御部７９を含む。情報取得部７３は、行き先としての場所の紹介を求めるユーザに関する、希望する体験、同伴者、および物理的な状況などの情報を取得する。情報取得部７３は、さらに、物理情報取得部８１およびユーザ希望取得部８２を含む。
【００６９】
物理情報取得部８１は、行き先としての場所の紹介を求めるユーザのいる位置を示す緯度および経度、日付の月、１日における時間帯、またはユーザのいる場所の天気などの、ユーザの物理的な状況の情報を取得する。ユーザ希望取得部８２は、ユーザが操作することにより、クライアント１３に入力された、誰と、どうしたい、どちらの方向に行きたいなどのユーザの希望を示す希望データを取得する。
【００７０】
適合度計算部７４は、履歴データベース５７に記憶されているスポット実績データ、並びに紹介を求めるユーザの希望する体験、同伴者、および現在の物理的な状況から、行き先としての場所の適合の度合いを示す適合度を計算する。指令情報生成部７５は、適合度が計算された場所について、ユーザが希望する体験をさせるための行動の指令を示す情報を生成する。
【００７１】
返答データ取得部７６は、ユーザが操作することにより、クライアント１３に入力された、情報が提供された場所で指令された行動を行うか否かのユーザの返答を示す返答データを取得する。履歴データ取得部７７は、ユーザが操作することにより、クライアント１３に入力された、場所についての情報が提供された後のユーザの実際の行動を示す（実際にその場所に行ったか否かなどの行動を示す）行動履歴データを取得する。
【００７２】
選択割合値計算部７８は、取得した行動履歴データから、希望する体験、同伴者、および物理的な状況のそれぞれにおいて、それぞれの場所にユーザが訪れた実績の値を示す実績値である選択割合値を計算する。記憶制御部７９は、計算された実績値である選択割合値が含まれるスポット実績データを履歴データベース５７に記憶させる。すなわち、記憶制御部７９は、履歴データベース５７に記憶されているスポット実績データに格納されている、場所の各属性に対する選択割合値を更新させる。また、記憶制御部７９は、行動履歴データを履歴データベース５７に記憶させる。
【００７３】
次に、図８乃至図１０のフローチャートを参照し、行き先としての場所の紹介の処理を説明する。ステップＳ２０１において、サーバ１１のページデータ生成部５２は、ログインのためのウェブページのデータを生成して、Webサーバ機能５１の送信制御部７１は、通信部３９を制御して、通信回線１２を介して、生成されたウェブページのデータを、行き先としての場所の紹介を受けようとするユーザのクライアント１３に送信する。ステップＳ１０１において、クライアント１３は、サーバ１１から送信されてきたウェブページのデータを受信して、ウェブページを表示する。ユーザの操作によって、ウェブページにパスワードが入力されて、送信が指示されると、ステップＳ１０２において、クライアント１３は、通信回線１２を介して、クライアント１３を特定するクライアントID の一例であるUIDとパスワードとをサーバ１１に送信すると共に、サーバ１１に、旅行の行き先としての場所を紹介するサービスへのログインを要求する。
【００７４】
ステップＳ２０２において、サーバ１１のWebサーバ機能５１の受信制御部７２は、通信部３９を制御して、クライアント１３から送信されてきたUIDとパスワードとを受信させ、また、ログインを要求を受け付けさせる。受信制御部７２は、認証部５３に、UIDとパスワードとを供給し、ログインが要求されたことを通知する。認証部５３は、ユーザデータベース５５に格納されているUIDとパスワードと、受信したUIDとパスワードとを照合して、それぞれが合致している場合、ログインを要求してきたクライアント１３のユーザが正当であると認証して、旅行の行き先としての場所を紹介するサービスへのログインの処理を行う。ログインの処理の際に、認証部５３は、UIDをスポット提案部５４に供給する。
【００７５】
ステップＳ２０３において、スポット提案部５４の情報取得部７３の物理情報取得部８１は、クライアント１３の位置を示す緯度経度、日付の月、時間帯、緯度経度で示される位置の天気に関する情報を取得する。より具体的には、例えば、物理情報取得部８１は、クライアント１３のUIDを用いて、携帯電話機であるクライアント１３が接続している基地局の情報を取得することにより、ユーザのいる位置を示す緯度および経度の情報を取得したり、GPS（Global Positioning System）受信装置を備える携帯電話機であるクライアント１３から、GPSにより得られた緯度および経度の情報を取得したりする。また、例えば、物理情報取得部８１は、ユーザのいる位置を示す緯度および経度を参照して、インターネット上のサイトを検索することにより、晴れ、曇り、雨、雪などの、ユーザのいる場所の天気の情報を取得する。物理情報取得部８１は、月を含む日付を、例えば、ＳＹＳＤＡＴＥなどの関数により、サーバ１１のシステムから取得する。さらに、例えば、日の出や日の入りの情報を取得して利用するようにしてもよい。
【００７６】
ステップＳ２０４において、サーバ１１のページデータ生成部５２は、ユーザの希望を取得するためのウェブページのデータを生成して、Webサーバ機能５１の送信制御部７１は、通信回線１２を介して、生成されたウェブページのデータを、ユーザのクライアント１３に送信する。ステップＳ１０３において、クライアント１３は、サーバ１１から送信されてきたウェブページのデータを受信して、ウェブページを表示する。
【００７７】
図１１は、クライアント１３に表示される、ユーザの希望を取得するためのウェブページの例を示す図である。例えば、このウェブページには、「誰と行くか」を入力するためのプルダウンメニュー、「どちらの方向に行きたいか」を入力するためのプルダウンメニュー、および「どうしたいか」を入力するためのプルダウンメニューが配置されている。「誰と行くか」を入力するためのプルダウンメニューを選択すると、「一人で」、「友人と」、「夫または妻と」、「恋人と」、「家族と」などの項目を選択して入力することができる。「どちらの方向に行きたいか」を入力するためのプルダウンメニューを選択すると、「どこへでも」、「東へ」、「西へ」、「南へ」、「北へ」などの項目を選択して入力することができる。「どうしたいか」を入力するためのプルダウンメニューを選択すると、「おまかせ」、「見たい」、「遊びたい」、「休みたい」、「食べたい」などの項目を選択して入力することができる。ユーザの希望を取得するためのウェブページにおいて、プルダウンメニューの項目を選択するなどにより入力される値は、スポット実績データの項目の項目値に対応する。
【００７８】
「誰と行くか」、「どちらの方向に行きたいか」、および「どうしたいか」をそれぞれ入力するためのプルダウンメニューから項目が選択されて、図１１中の「指令を受ける」と表示されているボタンがクリックされると、クライアント１３は、プルダウンメニューから選択された項目に応じた、ユーザの希望を取得して、ユーザの希望を示す希望データを通信回線１２を介してサーバ１１に送信する。
【００７９】
このように、ユーザの操作によって、「誰と行くか」、「どちらの方向に行きたいか」、および「どうしたいか」などに対する希望が入力されて、送信が指示されると、ステップＳ１０４において、クライアント１３は、誰と、どうしたい、およびどちらの方向に行きたいとのユーザを希望を取得して、ステップＳ１０５において、クライアント１３は、通信回線１２を介して、ユーザの希望を示す希望データをサーバ１１に送信する。すなわち、この場合、クライアント１３の送信部は、ユーザの希望を示す希望データを通信回線１２を介してサーバ１１に送信する。
【００８０】
ステップＳ２０５において、サーバ１１のWebサーバ機能５１の受信制御部７２は、通信部３９を制御して、クライアント１３から送信されてきた、ユーザの希望を示す希望データを受信させる。このとき、Webサーバ機能５１は、希望データを受信した旨をスポット提案部５４に通知する。この通知を受けたスポット提案部５４の情報取得部７３のユーザ希望取得部８２は、Webサーバ機能５１に要求することにより、Webサーバ機能５１から希望データを取得する。
【００８１】
ステップＳ２０６において、スポット提案部５４の適合度計算部７４は、行き先としての場所の適合の度合いを示す適合度を計算する。
【００８２】
ここで、図１２のフローチャートを参照して、適合度の計算の処理の詳細を説明する。ステップＳ１１において、適合度計算部７４は、スポットデータベース５６を検索することで、クライアント１３の位置を示す緯度経度、ユーザが希望する方向、およびユーザがどうしたいかを参照して、１または複数のスポットを選択する。例えば、ユーザが北の方向に行きたいと希望している場合、適合度計算部７４は、クライアント１３の位置を示す緯度経度に対して、２kmから４km程度の範囲内にあり、より小さい緯度で示される位置にあるスポットをスポットデータベース５６から検索して選択する。また、例えば、ユーザが東の方向に行きたいと希望している場合、適合度計算部７４は、クライアント１３の位置を示す緯度経度に対して、２kmから４km程度の範囲内にあり、より大きい経度で示される位置にあるスポットをスポットデータベース５６から検索して選択する。
【００８３】
例えば、ユーザが「観たい」と希望している場合、綺麗な海岸、夜景の美しい丘、およびおしゃれなレストランがクライアント１３の位置に対して希望する方向にあるとき、綺麗な海岸と夜景の美しい丘とは、「観る」スポットであるが、おしゃれなレストランは、「観る」スポットではないので、適合度計算部７４は、綺麗な海岸と夜景の美しい丘とを選択する。
【００８４】
ステップＳ１２において、適合度計算部７４は、選択されたスポットのそれぞれについて、履歴データベース５７からスポット実績データを読み出して、さらに、誰と行くか、日付の月、時間帯、および天気の各項目に対する選択割合値を読み出す。
【００８５】
なお、クライアント１３の位置を示す緯度経度およびユーザが希望する方向を参照して、１または複数のスポットを選択し、さらに、誰と行くか、およびユーザがどうしたいかを参照して、選択されたスポットをさらに絞り込み、その上で、絞り込まれた１または複数のスポットについて、日付の月、時間帯、および天気の各項目に対する選択割合値を読み出すようにしてもよい。すなわち、クライアント１３の位置を示す緯度経度、ユーザが希望する方向、誰と行くか、およびユーザがどうしたいか、日付の月、時間帯、および天気のうちの、任意の項目でスポットを選択し、選択されたスポットのスポット実績データから、残りの項目で選択割合値を読み出すようにすることができる。
【００８６】
ステップＳ１３において、適合度計算部７４は、選択されたスポットのそれぞれについて、読み出された選択割合値を掛け合わせて、適合度を求める。
【００８７】
例えば、晴れている８月の午後に、ユーザが恋人とどこかに行きたいと希望している場合、ステップＳ１１の手続きで選択された、綺麗な海岸についての、時間帯の項目の午後である項目値に対する選択割合値が、１．５であり、同伴者の項目の恋人である項目値に対する選択割合値が、１．３であり、天気の項目の晴れである項目値に対する選択割合値が、１．８であり、日付の月の項目の６月から８月までである項目値に対する選択割合値が、１．５であるとき、適合度計算部７４は、１．５×１．３×１．８×１．５の演算によって、綺麗な海岸についての、５．２６５である適合度を計算する。また、ステップＳ１１の手続きにおいて、夜景の美しい丘も選択されている場合、夜景の美しい丘についての、時間帯の項目の午後である項目値に対する選択割合値が、０．２であり、同伴者の項目の恋人である項目値に対する選択割合値が、１．８であり、天気の項目の晴れである項目値に対する選択割合値が、１．８であり、日付の月の項目の６月から８月までである項目値に対する選択割合値が、１．５であるとき、適合度計算部７４は、０．２×１．８×１．８×１．５から、夜景の美しい丘についての、０．９７２である適合度を計算する。
【００８８】
なお、選択割合値が乗算されて適合度が求められると説明したが、これに限らず、選択割合値を加算したり、所定の重み付けを乗じた上で加算したりするなど、各種の関数を選択割合値に適用して適合度を求めるようにすることができる。
【００８９】
ステップＳ１４において、適合度計算部７４は、求められた適合度の順に、スポットのデータをソートする。なお、適合度計算部７４は、スポットのデータをランダムに並び替えても良いし、所定の項目の項目値に対する選択割合値を参照して、スポットのデータの順を決めるようにしてもよい。この場合、参照される選択割合値に対する項目値毎に、重みを予め決定し、重み付けされた（傾斜がかけられた）選択割合値を参照して、スポットのデータの順を決めるようにしてもよい。
【００９０】
ステップＳ１５において、指令情報生成部７５は、適合度が計算されたスポットのそれぞれについて、ユーザが希望する体験をさせるための行動の指令を示す情報を生成して、適合度の計算の処理は終了する。
【００９１】
例えば、ステップＳ１５において、指令情報生成部７５は、希望データのうちの「どうしたい」かを示すデータから、スポットデータベース５６に格納されているスポット（場所）に関する情報のうちの、「どうしたい」に対応する体験できる内容を特定し、さらに特定された内容に対応する、体験により得られる効果を取得する。そして、さらに、指令情報生成部７５は、得られた効果を命令形に変更することにより、ユーザが希望する体験をさせるための行動の指令を示す情報を生成する。
【００９２】
より具体的には、例えば、ユーザが「観たい」と希望し、所定の美術館である場所の適合度が計算された場合、指令情報生成部７５は、スポットデータベース５６に格納されているその美術館に関する情報のうちの、「観る」との体験できる内容に対応する、「感動する」との効果を取得する。さらに、指令情報生成部７５は、「感動する」を「感動しろ」と語尾を変換することにより、ユーザが希望する体験をさせるための行動の指令を示す情報を生成する。
【００９３】
なお、スポットデータベース５６に、体験できる内容に対応させて、命令形で表現されている指令を予め格納するようにしてもよい。
【００９４】
このように、ユーザの希望する体験、同伴者、および現在の物理的な状況に対して、行き先としての場所の適合の度合いを示す適合度が求められて、例えば、適合度の順、すなわち、ユーザの希望などに沿った適合の程度の順の、場所のデータが得られることになる。さらに、スポットのそれぞれについて、ユーザが希望する体験をさせるための行動の指令を示す情報が生成されるので、ユーザの「どうしたい」の希望に対して、即座に、かつ直感的に理解できる応答を提供することができるようになる。
【００９５】
図９に戻り、ステップＳ２０７において、スポット提案部５４は、適合度の順にソートされた、スポットのデータと、ユーザが希望する体験をさせるための行動の指令を示す情報とを、ページデータ生成部５２に供給し、ページデータ生成部５２は、そのスポットでの行動を指令するウェブページのデータを生成する。さらに、Webサーバ機能５１の送信制御部７１は、通信部３９を制御して、通信回線１２を介して、生成されたウェブページのデータを、ユーザのクライアント１３に送信する。ステップＳ１０６において、クライアント１３は、サーバ１１から送信されてきたウェブページのデータを受信して、スポットでの行動を指令するウェブページを表示する。
【００９６】
図１３は、スポットでの行動を指令するウェブページの例を示す図である。スポットとして、「Ｚ美術館」が選択されて、ユーザが希望する「観る」との体験に対応する「感動しろ！！」との指令が生成されると、サーバ１１において、「Ｚ美術館で感動しろ！！」と示されるウェブページのデータが生成されて送信されてくるので、クライアント１３は、図１３に示されるように、「Ｚ美術館で感動しろ！！」と示されるウェブページを表示する。ウェブページにこのような指令が表示されるので、ユーザの直感（右脳）に訴求することができる。
【００９７】
ステップＳ１０７において、クライアント１３は、ユーザからの操作に応じて、他のユーザの行動を確認するか否かを判定し、例えば、図１３に示される、「他のユーザの感想を見る」と表示されているリンクが選択されるなどして、他のユーザの行動を確認すると判定された場合、手続きはステップＳ１０８に進み、通信回線１２を介してサーバ１１に、他のユーザの行動を示すウェブページのデータを要求する。
【００９８】
クライアント１３から他のユーザの行動を示すウェブページのデータが要求された場合、ステップＳ２０８において、サーバ１１のWebサーバ機能５１の受信制御部７２は、通信部３９を制御して、クライアント１３からの要求を受け付けさせる。受信制御部７２は、スポット提案部５４に、他のユーザの行動を示すウェブページのデータが要求された旨を通知する。ステップＳ２０９において、スポット提案部５４は、ステップＳ１０６の手続きで表示されたウェブページに示されたスポットに行っている他のユーザの行動を行うか否かを示す返答データを履歴データベース５７から取得し、ページデータ生成部５２に供給する。ページデータ生成部５２は、他のユーザの行動を示すウェブページのデータを生成して、Webサーバ機能５１の送信制御部７１は、通信部３９を制御して、通信回線１２を介して、その生成されたウェブページのデータをクライアント１３に送信する。
【００９９】
ステップＳ１０９において、クライアント１３は、サーバ１１から送信されてきたウェブページのデータを受信して、ステップＳ１０６の手続きで表示されたウェブページに示されたスポットに行っている他のユーザの行動を示すウェブページを表示する。
【０１００】
図１４は、紹介されたスポットに行っている他のユーザの行動を示すウェブページの例を示す図である。図１４に示される例では、４人の他のユーザが、紹介されたスポットに行っていることが示されている。図１４中の「#nowplaying」は、そのユーザが紹介されたスポットに現在行っていることを示している。
【０１０１】
図９に戻り、ステップＳ１０９の後、手続きはステップＳ１１０に進む。また、ステップＳ１０７において、図１３に示される、「他のユーザの感想を見る」と表示されているリンクが選択されないで、「ミッションスタート！」と表示されているリンクまたは「このミッションをパスする」と表示されているリンクが選択されるなどして、他のユーザの行動を確認しないと判定された場合、他のユーザの行動を示すウェブページを表示する必要はないので、ステップＳ１０８およびステップＳ１０９並びにステップＳ２０８およびステップＳ２０９の手続きはスキップされて、手続きはステップＳ１１０に進む。
【０１０２】
ステップＳ１１０において、クライアント１３は、表示されているスポットでの行動を指令するウェブページへのユーザの操作に応じて入力された、指令された行動を行うか否かのユーザの返答を取得する。例えば、図１３に示される、「ミッションスタート」と表示されているリンクが選択された場合、クライアント１３は、指令された行動を行うとのユーザの返答を取得し、「このミッションをパスする」と表示されているリンクが選択された場合、クライアント１３は、指令された行動を行わないとのユーザの返答を取得する。ステップＳ１１１において、クライアント１３は、通信回線１２を介して、ユーザの返答を示す返答データをサーバ１１に送信する。
【０１０３】
ステップＳ２１０において、サーバ１１のWebサーバ機能５１の受信制御部７２は、通信部３９を制御して、クライアント１３から送信されてくる返答データを受信させる。受信制御部７２は、スポット提案部５４に、返答データが受信された旨を通知する。返答データが受信された旨が通知されると、スポット提案部５４の返答データ取得部７６は、Webサーバ機能５１に要求することにより、Webサーバ機能５１から返答データを取得する。ステップＳ２１１において、記憶制御部７９は、取得された返答データを履歴データベース５７に記憶させる。
【０１０４】
ステップＳ２１２において、スポット提案部５４は、取得された返答データを参照して、ユーザが指令された行動を実行するか否かを判定し、ユーザが指令された行動を実行しないと判定された場合、ステップＳ２１３に進み、さらに、まだ指令があるか否か、すなわち、提供できる場所の情報があるか否かを判定し、提供できる場所の情報があると判定された場合、手続きはステップＳ２０７に戻り、上述した処理が繰り返されて、次の場所についての行動を指令するウェブページのデータがクライアント１３に提供される。
【０１０５】
ステップＳ２１２において、ユーザが指令された行動を実行すると判定された場合、およびステップＳ２１３において、指令がないと判定された場合、これ以上、行動を指令するウェブページのデータを提供する必要はないか、またはできないので、手続きはステップＳ２１４に進む。
【０１０６】
ステップＳ２１４以降の処理は、上述の処理の直後ではなく、ユーザが指令に応じて、情報が提供された場所（指令された場所）を訪れるのに必要な時間が経過した後に行われる。
【０１０７】
すなわち、ステップＳ２１４において、サーバ１１のページデータ生成部５２は、ユーザの行動の履歴を取得するためのウェブページのデータを生成して、Webサーバ機能５１の送信制御部７１は、通信回線１２を介して、生成されたウェブページのデータを、ユーザのクライアント１３に送信する。ステップＳ１１２において、クライアント１３は、サーバ１１から送信されてきたウェブページのデータを受信して、ウェブページを表示する。
【０１０８】
図１５は、ユーザの行動の履歴を取得するためのウェブページの例を示す図である。例えば、このウェブページには、「ミッションクリアした人は「こちら」」と表示されているリンクと、「ミッションリタイアする人は「こちら」」と表示されているリンクとが配置されている。クライアント１３は、「ミッションクリアした人は「こちら」」と表示されているリンクが選択された場合、指令された行動を行った旨の履歴を取得し、「ミッションリタイアする人は「こちら」」と表示されているリンクが選択された場合、指令された行動を行わなかった旨の履歴を取得する。
【０１０９】
このように、ステップＳ１１３において、クライアント１３は、ユーザの実際の行動の履歴を取得し、取得した行動の履歴を示す行動履歴データを生成する。
【０１１０】
ステップＳ１１４において、クライアント１３は、通信回線１２を介して、取得した行動の履歴を示す行動履歴データをサーバ１１に送信する。ステップＳ２１５において、サーバ１１のWebサーバ機能５１の受信制御部７２は、通信部３９を制御して、クライアント１３から送信されてきた、行動履歴データを受信させる。このとき、Webサーバ機能５１は、行動履歴データを受信した旨をスポット提案部５４に通知する。この通知を受けたスポット提案部５４の履歴データ取得部７７は、Webサーバ機能５１に要求することにより、Webサーバ機能５１から行動履歴データを取得する。ステップＳ２１６において、記憶制御部７９は、取得した行動履歴データを履歴データベース５７に記憶させる。
【０１１１】
ステップＳ２１７において、選択割合値計算部７８は、ステップＳ２０３の手続きで取得した、クライアント１３の位置を示す緯度経度、日付の月、時間帯、緯度経度で示される位置の天気に関する情報と、ステップＳ２０５の手続きで取得した希望データと、ステップＳ２１５の手続きで取得した行動履歴データと、履歴データベース５７に記憶されているスポット実績データとから、今回の行動の指令に関連するスポットについて、図５を参照して説明した手順で、関連する項目の項目値に対する選択割合値を計算する。ステップＳ２１８において、記憶制御部７９は、履歴データベース５７に記憶されているスポット実績データに格納されている、スポットの各項目に対する選択割合値を更新して、行き先としての場所の紹介の処理は終了する。
【０１１２】
なお、履歴データベース５７に記憶されているスポット実績データの初期値として、サーバ１１の管理者によって任意のデータが入力されるか、または旅行や観光に関する他のデータベースのデータがインポートされる。
【０１１３】
履歴データベース５７に、スポット実績データとして、更新されて記憶された選択割合値は、この次以降に行われる、行き先としての場所の紹介の処理において使用されることになる。
【０１１４】
このように、他人の行動の実績を参考にしつつ、今現在の自分の状況と希望する体験とに適した行き先を簡単に知ることができるようになる。
【０１１５】
例えば、「一人で」、「南へ」、「観たい」と希望された場合には、「美術館で感動しろ！！」と指令されて、行き先としての場所が紹介される。また、例えば、「友達と」、「北へ」、「遊びたい」と希望された場合には、「テーマパークに行け！！」「テーマパークでＡＡに乗れ！」と指令されて、行き先としての場所が紹介される。さらに、例えば、「恋人と」、「東へ」、「食事がしたい！！」と希望された場合には、「レストランでＢＢを食べろ！！」「レストランでＣＣを注文せよ！」と指令されて、行き先としての場所が紹介される。さらにまた、例えば、「妻と」、「西へ」、「休憩がしたい！！」と希望された場合には、「ＤＤ公園に行け！！」「ＥＥの足湯につかれ！」と指令されて、行き先としての場所が紹介される。
【０１１６】
なお、行動履歴データを参照して、選択割合値を更新すると説明したが、ステップＳ２１０で取得した返答データの内容も考慮して、選択割合値を更新するようにしてもよい。
【０１１７】
以上のように、希望する体験、同伴者、および物理的な状況のそれぞれにおいて、それぞれの場所に他のユーザが訪れた実績の値を示す実績値を記憶し、記憶されている実績値、並びに紹介を求めるユーザの希望する体験、同伴者、および現在の物理的な状況から、行き先としての場所の適合の度合いを示す適合度を計算し、紹介を求めるユーザの端末装置に、計算された適合度に応じて、行き先としての場所の情報を提供するようにした場合には、他人の行動の実績を参考にしつつ、今現在の自分の状況と希望する体験とに適した行き先を簡単に知ることができる。また、希望する体験、同伴者、および物理的な状況のそれぞれにおいて、それぞれの場所に他のユーザが訪れた実績の値を示す実績値を記憶し、ユーザの希望する体験および同伴者を示す情報を通信回線を介して情報提供装置に送信し、記憶されている実績値、並びに紹介を求めるユーザの希望する体験、同伴者、および現在の物理的な状況から、行き先としての場所の適合の度合いを示す適合度を計算し、通信回線を介してユーザの端末装置に、計算された適合度に応じて、行き先としての場所の情報を提供するようにした場合には、他人の行動の実績を参考にしつつ、今現在の自分の状況と希望する体験とに適した行き先を簡単に知ることができる。
【０１１８】
上述した一連の処理は、ハードウェアにより実行することもできるし、ソフトウエアにより実行することもできる。
【０１１９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２０】
また、本発明の実施の形態は、上述した実施の形態に限定されるものではなく、本発明の要旨を逸脱しない範囲において種々の変更が可能である。
【符号の説明】
【０１２１】
１１  サーバ，  １２  通信回線，  １３−１乃至１３−３および１３  クライアント，  ３１  CPU，  ３２  ROM，  ３３  RAM，  ３８  記憶部，  ３９  通信部，  ４１  リムーバブルメディア，  ５１  Webサーバ機能，  ５２  ページデータ生成部，  ５３  認証部，  ５４  スポット提案部，  ５５  ユーザデータベース，  ５６  スポットデータベース，  ５７  履歴データベース，  ７１  送信制御部，  ７２  受信制御部，  ７３  情報取得部，  ７４  適合度計算部，  ７５  指令情報生成部，  ７６  返答データ取得部，  ７７  履歴データ取得部，  ７８  選択割合値計算部，  ７９  記憶制御部，  ８１  物理情報取得部，  ８２  ユーザ希望取得部
【図１】
2011175603.tif 000003
【図２】
2011175603.tif 000004
【図３】
2011175603.tif 000005
【図４】
2011175603.tif 000006
【図５】
2011175603.tif 000007
【図６】
2011175603.tif 000008
【図７】
2011175603.tif 000009
【図８】
2011175603.tif 000010
【図９】
2011175603.tif 000011
【図１０】
2011175603.tif 000012
【図１１】
2011175603.tif 000013
【図１２】
2011175603.tif 000014
【図１３】
2011175603.tif 000015
【図１４】
2011175603.tif 000016
【図１５】
2011175603.tif 000017